(57)【要約】【課題】妨害波またはノイズの発生状況をユーザに提示することができる照明装置を得ること。【解決手段】本発明にかかる照明装置２は、無線通信を行うことが可能な通信部２２と、通信部２２において使用可能な無線チャネルの受信電界強度を測定する電界強度測定部２１と、受信電界強度に応じた発光態様で発光する光源２４と、を備える。【選択図】図１
2018190629.tif 000002
【特許請求の範囲】
【請求項１】
無線通信を行うことが可能な通信部と、
前記通信部において使用可能な無線チャネルの受信電界強度を測定する電界強度測定部と、
前記受信電界強度に応じた発光態様で発光する光源と、
を備える照明装置。
【請求項２】
受信電界強度の測定を指示する制御信号を受信した場合に、前記光源を前記受信電界強度に応じた発光態様で発光させる制御部、
を備え、
前記制御信号に応じた発光態様は、前記制御信号に応じた発光以外の場合の発光における発光態様と異なる請求項１に記載の照明装置。
【請求項３】
前記光源の明るさは前記受信電界強度に応じて変更される請求項１または２に記載の照明装置。
【請求項４】
前記光源の点滅の周波数は前記受信電界強度に応じて変更される請求項１または２に記載の照明装置。
【請求項５】
照明制御装置と、前記照明制御装置との間で無線通信を行うことが可能な照明装置とを備える照明システムであって、
前記照明制御装置は、測定対象の無線チャネルを含み受信電界強度の実施を指示する制御信号を生成し、前記制御信号を前記照明装置へ無線信号として送信し、
前記照明装置は、
前記制御信号を受信する通信部と、
前記制御信号に含まれる前記無線チャネルの受信電界強度を測定する電界強度測定部と、
前記受信電界強度に応じた発光態様で発光する光源と、
を備える照明システム。
【発明の詳細な説明】
【技術分野】
【０００１】
本発明は、無線通信機能を有する照明装置および照明システムに関する。
【背景技術】
【０００２】
オフィスビルなどに導入される照明システムでは、照明制御装置が複数台の照明装置を制御する。近年、設置作業の簡便性などの理由から、照明制御装置と照明装置との間の情報のやりとりが無線通信により行われる照明システムが増加している。
【０００３】
一般に無線通信は、他の無線システムの通信による妨害波、インバータを使用した機器をはじめとした電気機器によるノイズなどによる影響を受けることがある。このため、無線通信を用いる各種のシステムでは、これらの影響の少ない適切な無線通信チャネルを用いる、または、妨害波の発生源およびノイズ源を取り除くといった作業が必要となる。妨害波の発生源およびノイズ源を取り除くためには、これらの位置を把握する必要がある。
【０００４】
特許文献１には、各無線端末Ａ、Ｂ、Ｃから送信されてくる通信状態の測定結果を集計して総合的判断により良好な通信チャネルを決定する技術が開示されている。特許文献１に記載の技術によれば、各無線端末Ａ、Ｂ、Ｃの周辺において妨害波の発生源またはノイズ源となるものがあるか否かはわかり、妨害波およびノイズの少ないチャネルを選択することができる。
【先行技術文献】
【特許文献】
【０００５】
【特許文献１】特開２００６−１８６９１６号公報
【発明の概要】
【発明が解決しようとする課題】
【０００６】
しかしながら、妨害波の発生源およびノイズ源の影響のないチャネルが必ず存在するとは限らない。このような場合には、妨害波の発生源またはノイズ源を取り除くことが望ましい。しかしながら、上記従来の技術では、各照明装置における妨害波またはノイズの発生状況がわからないため、どの照明装置の近くに妨害波の発生源およびノイズ源があるかはわからない。すなわち、妨害波の発生源およびノイズ源の位置がわからないため、妨害波の発生源およびノイズ源を取り除くことが困難となる。
【０００７】
本発明は、上記に鑑みてなされたものであって、妨害波またはノイズの発生状況をユーザに提示することができる照明装置を得ることを目的とする。
【課題を解決するための手段】
【０００８】
上述した課題を解決し、目的を達成するために、本発明は、無線通信を行うことが可能な通信部と、通信部において使用可能な無線チャネルの受信電界強度を測定する電界強度測定部と、受信電界強度に応じた発光態様で発光する光源と、を備える。
【発明の効果】
【０００９】
本発明にかかる照明装置は、妨害波またはノイズの発生状況をユーザに提示することができるという効果を奏する。
【図面の簡単な説明】
【００１０】
【図１】実施の形態にかかる照明システムの構成例を示す図
【図２】無線チャネルの決定手順の一例を示すフローチャート
【図３】電界強度測定処理の一例を示すチャート図
【図４】受信電界強度に応じた光源の光度の一例を示す図
【図５】ステップＳ２で測定結果がＯＫと判定される場合の各照明装置の光度を示す図
【図６】ステップＳ２で測定結果がＯＫでないと判定される場合の各照明装置の光度を示す図
【図７】電界強度取得指令を受信できない照明装置が存在する場合の照明装置の光度を示す図
【発明を実施するための形態】
【００１１】
以下に、本発明の実施の形態にかかる照明装置および照明システムを図面に基づいて詳細に説明する。なお、この実施の形態によりこの発明が限定されるものではない。
【００１２】
実施の形態．
図１は、本発明の実施の形態にかかる照明システムの構成例を示す図である。図１に示すように、実施の形態の照明システムは、照明制御装置１、照明装置２−１〜２−３およびリモートコントローラ（以下リモコンと略す）３を備える。以下、照明装置２−１〜２−３を区別せずに示すときは照明装置２と記載する。図１では、照明装置２の台数を３台としているが、照明装置２の数は３台に限定されず、複数台であればよい。
【００１３】
照明制御装置１は、通信部１１および制御部１２を備える。通信部１１は、リモコン３と通信可能であるとともに、照明装置２−１〜２−３と通信可能である。照明制御装置１とリモコン３との間の通信回線は、有線回線であっても無線回線であってもよい。すなわち、通信部１１は、リモコン３と無線通信を行うことが可能であってもよく有線通信を行うことが可能であってもよい。照明制御装置１と照明装置２−１〜２−３との間の通信回線は無線回線である。すなわち、通信部１１は、照明装置２−１〜２−３と無線通信を行うことが可能である。
【００１４】
通信部１１は、例えば、Ｗｉ−Ｆｉ（登録商標）、ＺｉｇＢｅｅ（登録商標）といった通信規格に従った通信を行う通信回路により実現される。通信部１１が、リモコン３との間で用いる通信方式と、照明装置２との間で用いる通信方式とは、同じであってもよいし異なっていてもよい。
【００１５】
制御部１２は、通信部１１を介してリモコン３から受信した信号に応じて、照明装置２へ送信する制御信号を生成し、通信部１１を介して制御信号を照明装置２へ送信する。制御部は、例えば、ＣＰＵ（Central  Processing  Unit）、ＲＯＭ（Read  Only  Memory）およびＲＡＭ（Random  Access  Memory）により構成される。
【００１６】
リモコン３は、通信部３１、制御部３２およびユーザインタフェース部３３を備える。通信部３１は、照明制御装置１と通信可能である。通信部３１は、例えば、Ｗｉ−Ｆｉ（登録商標）、ＺｉｇＢｅｅ（登録商標）といった通信規格に従った通信を行う通信回路により実現される。
【００１７】
ユーザインタフェース部３３は、ユーザからの操作情報の入力を受け付ける。ユーザインタフェース部３３は、例えば、押しボタン、スイッチなどの入力手段と、液晶モニタ、ディスプレイなどの表示手段により実現される。ユーザインタフェース部３３は、入力手段と表示手段とが一体化されたタッチパネルなどにより実現されてもよい。
【００１８】
制御部３２は、ユーザインタフェース部３３が受け付けた操作情報の内容に応じて、照明制御装置１へ送信する制御信号を生成し、制御信号を、通信部３１を介して照明制御装置１に送信する。制御部３２は、例えば、ＣＰＵ、ＲＯＭおよびＲＡＭにより構成される。
【００１９】
照明装置２は、例えば、天井に取り付けるＬＥＤ（Light  Emitting  Diode）照明装置である。照明装置２は、電界強度測定部２１、通信部２２、制御部２３および光源２４を備える。
【００２０】
電界強度測定部２１は、受信した電波の電界強度すなわち受信電界強度を測定する。具体的には、通信部２２において使用可能な無線チャネルの受信電界強度を測定する。通信部２２は、照明制御装置１と通信可能である。通信部２２は、例えば、Ｗｉ−Ｆｉ（登録商標）、ＺｉｇＢｅｅ（登録商標）といった通信規格に従った通信を行う通信回路により実現される。通信回路は、一般に受信した電波の電界強度を測定する機能を有しており、電界強度測定部２１はこの機能により実現される。すなわち、電界強度測定部２１および通信部２２は、通信回路により実現される。
【００２１】
制御部２３は、通信部２２を介して照明制御装置１から受信した制御信号に応じて、光源２４の発光態様を変更する。また、制御部２３は、電界強度測定部２１により測定された受信電界強度に応じて光源２４の発光態様を変更する。制御部２３は、例えば、ＣＰＵ、ＲＯＭおよびＲＡＭにより構成される。
【００２２】
光源２４は、制御部２３からの指示に基づいて発光の態様を変更可能な光源である。具体的には、後述するように、光源２４は、受信電界強度に応じた発光態様で発光することが可能である。発光の態様の変更とは、明るさすなわち発光の強度の変更であってもよいし、点滅の周波数の変更などであってもよく、発光の態様の変更が視認可能であればよく、発光の態様の変更に特に制約はない。発光の態様の段階の数としては、最低２段階の調節ができればよい。以下では、明るさを変更する例について説明する。明るさを変更する場合、光源２４は、最低、オンすなわち点灯とオフすなわち消灯との２段階の調整ができればよい。光源２４は、０〜１００％まで連続的に調節できるものであってもよい。
【００２３】
次に、本実施の形態の動作について説明する。まず、本実施の形態の照明システムにおける無線チャネルすなわち無線周波数の決定方法の全体の流れについて説明する。図２は、本実施の形態の無線チャネルの決定手順の一例を示すフローチャートである。図２に示した処理は、例えば、照明システムの設置時に行われるが、その他、照明システムの起動時をはじめとして任意のタイミング行われてもよい。図２に示した処理を照明システムの起動時に実施するようあらかじめ照明制御装置１に設定されていてもよいし、リモコン３を介してユーザから無線チャネルの決定処理の実施が指示されたときに実施されるようにしてもよい。
【００２４】
照明制御装置１は、まず、使用可能な無線チャネルのうちの１つであるＣＨｘの電界強度測定処理を実施する（ステップＳ１）。ＣＨｘは、後述するように、リモコン３を介してユーザにより選択される。具体的には、リモコン３がユーザから、電界強度測定の対象となる無線チャネルの入力を受け付け、受け付けた無線チャネルの電界強度測定の実施を要求する電界強度取得要求を生成し、電界強度取得要求を照明制御装置１へ送信する。ここでは、例えば、初回のステップＳ１では１番目の無線チャネルすなわちＣＨ１の電界強度測定処理が実施されたとする。電界強度測定処理の詳細については後述する。
【００２５】
照明制御装置１の制御部１２は、電界強度測定処理で得られた結果に基づいて、測定結果がＯＫであるか否かを判断する（ステップＳ２）。測定結果がＯＫとは、照明装置２との通信において妨害波またはノイズがなくＣＨｘを使用可能であることを示す。具体的には、例えば、電界強度測定処理で得られた照明装置２の受信電界強度が全て閾値未満である場合に、測定結果がＯＫであると判断する。制御部１２は、測定結果がＯＫの場合（ステップＳ２  Ｙｅｓ）、使用する無線チャネルをＣＨｘに決定し（ステップＳ３）、無線チャネルの決定処理を終了する。制御部１２は、決定した無線チャネルで照明装置２との通信を行うよう通信部１１へ指示する。
【００２６】
測定結果がＯＫでない場合（ステップＳ２  Ｎｏ）、一定時間待機し（ステップＳ４)、再度、ＣＨｘの電界強度測定処理を実施する（ステップＳ５）。後述するように、照明装置２は、受信電界強度に応じて光源２４の発光態様を変更するので、ユーザはどの照明装置２において妨害波またはノイズが生じているかを把握することができる。このため、ユーザは妨害波またはノイズが生じている照明装置２の付近にある妨害波の発生源またはノイズ源となる装置などを、別の場所に移動させるまたは停止させるなどにより除去することができる。ただし、妨害波の発生源またはノイズ源を除去できない場合もある。また、妨害波の発生源またはノイズ源を除去したとしても、別の妨害波の発生源またはノイズ源が存在して、照明装置２への妨害波またはノイズの影響が残ることもある。したがって、ステップＳ５で、ＣＨｘの電界強度測定処理を行った場合、妨害波またはノイズの影響がなくなっている場合もあるし、妨害波またはノイズの影響がなくなっていない場合もある。
【００２７】
照明制御装置１の制御部１２は、ステップＳ５の電界強度測定処理で得られた結果に基づいて、測定結果がＯＫであるか否かを判断する（ステップＳ６）。測定結果がＯＫである場合（ステップＳ６  Ｙｅｓ）、制御部１２は、処理をステップＳ３へ進める。測定結果がＯＫでない場合（ステップＳ６  Ｎｏ）、制御部１２は、リモコン３から送信された信号に基づいて、電界強度測定の対象とする無線チャネルを変更し、ステップＳ１からの処理を繰り返す。例えば、ユーザは、電界強度測定の対象とする無線チャネルをＣＨ１からＣＨ２へ変更するようリモコン３へ入力し、リモコン３はＣＨ２の電界強度測定処理を行う電界強度取得要求を生成して照明制御装置１へ送信する。このように、ステップＳ６でＮｏの場合には、順次、無線チャネルを変更してステップＳ１からの処理を実施する。
【００２８】
なお、ここでは、ステップＳ２でＮｏと判定された場合、ステップＳ４により一定時間待機した後に、ステップＳ５を実施するようにしたが、一定時間待機する代わりにリモコン３を介してユーザからの指示を受け付けた場合に、ステップＳ５へ進むようにしてもよい。例えば、ユーザが発生源またはノイズ源の除去後、リモコン３のユーザインタフェース部３３を操作することにより、処理を進めることを指示する情報をリモコン３へ入力する。そして、リモコン３は、入力された情報を照明制御装置１へ送信する。これにより、照明制御装置１はユーザが発生源またはノイズ源の除去が完了したと判断してステップＳ５を実施する。また、この場合、発生源またはノイズ源の除去ができない場合にも、ユーザは、処理を進めることを指示する情報をリモコン３へ入力してもよいし、照明制御装置１の制御部１２は、ステップＳ２でＮｏと判定してから一定時間が経過しても、上述した処理を進めることを指示する情報を受信しない場合に、ステップＳ５へ進むようにしてもよい。
【００２９】
なお、図２に示したフローチャートでは、無線チャネルが決定されるまで、処理が繰り返されるが、無線チャネルの決定処理の開始から一定時間以上経過しても無線チャネルが決定されない場合には、照明制御装置１は、リモコン３にエラー表示を行うよう指示するなどを行って、無線チャネルの決定処理を終了してもよい。
【００３０】
また、図２に示した例では、１つの無線チャネルの電界強度測定処理を行って測定結果がＯＫでない場合に次の無線チャネルの電界強度測定処理を行うようにしたが、はじめに使用設定可能な全てまたは一部の無線チャネルの電界強度を測定し、測定結果がＯＫな無線チャネルがあれば、照明制御装置１は測定結果がＯＫな無線チャネルのなかから使用する無線チャネルを決定する。ユーザが各無線チャネルの電界強度測定処理によって、各照明装置２がどのような発光の態様を示したかを記録しておく。測定結果がＯＫな無線チャネルがなければ、任意の無線チャネルを選択し、記録した各照明装置２の発光の態様のうち、選択した無線チャネルに対応するものを用いて、妨害波またはノイズの影響をうけている照明装置２を特定し該照明装置２の周辺の妨害波の発生源またはノイズ源を除去する。その後、選択した無線チャネルの電界強度測定を行うようリモコン３を介して照明制御装置１へ指示し、照明制御装置１は測定結果がＯＫであれば該無線チャネルを使用する無線チャネルに決定する。測定結果がＯＫでなければ、ユーザは、再び、任意の無線チャネルを選択し、記録した各照明装置２の発光の態様のうち、選択した無線チャネルに対応するものを用いて、妨害波またはノイズの影響をうけている照明装置２を特定し該照明装置２の周辺の妨害波の発生源またはノイズ源を除去する。以降、上述した動作と同様の動作が繰り返される。
【００３１】
次に、上述したステップＳ１およびステップＳ５で行われる電界強度測定処理について説明する。図３は、本実施の形態の電界強度測定処理の一例を示すチャート図である。リモコン３の制御部３２は、ユーザインタフェース部３３を介してユーザから、無線チャネルおよび測定時間とともに電界強度の測定を行うこと指示を受け取ると、該無線チャネルの電界強度測定の実施を要求する電界強度取得要求を生成し、通信部３１を介して電界強度取得要求を照明制御装置１へ送信する（ステップＳ１１）。なお、電界強度測定時間には、測定対象の無線チャネルだけでなくユーザから指定された測定時間も含まれている。
【００３２】
照明制御装置１は、電界強度取得要求を受信すると、受信電界強度の測定を指示する制御信号である電界強度取得指令を生成し、電界強度取得指令を無線信号として照明装置２−１〜２−３へ送信する（ステップＳ１２）。詳細には、制御部１２は、通信部１１を介して電界強度取得要求を受信すると電界強度取得指令を生成し、通信部１１を介して電界強度取得指令を照明装置２−１〜２−３へ送信する。電界強度取得指令には、電界強度取得要求に含まれる無線チャネルおよび測定時間も含まれている。
【００３３】
照明装置２−１〜２−３は、電界強度取得指令を受信すると、電界強度取得指令に従って、受信電界強度を測定する（ステップＳ１３）。具体的には、電界強度測定部２１が、電界強度取得指令に含まれる無線チャネルの受信電界強度を測定する。また、この測定における測定時間は電界強度取得指令に含まれる測定時間である。
【００３４】
照明装置２−１〜２−３は、受信電界強度の測定の終了後、測定された受信電界強度に応じて光源２４の発光態様を変更する（ステップＳ１４）。受信電界強度に応じた、光源２４の発光態様は、あらかじめ定められていてもよいし、照明制御装置１から指示されてもよいし、リモコン３および照明制御装置１を介してユーザから設定されたものであってもよい。以上のように、制御部２３は、受信電界強度の測定を指示する制御信号である電界強度取得指令を、通信部２２を介して受信した場合に、光源２４を受信電界強度に応じた発光態様で発光させる。受信電界強度に応じて光源２４の発光態様が変更されることにより、ユーザは各照明装置２の受信電界強度を把握することができる。すなわち、ユーザは、妨害波またはノイズの影響が大きい照明装置２を把握することができ、速やかに適切に妨害波の発生源またはノイズ源を取り除くことができる。
【００３５】
図４は、受信電界強度に応じた光源２４の光度の一例を示す図である。図４に示した例では、受信電界強度に応じて光源２４の明るさが変更される例を示している。図４に示した例では、受信電界強度が−３０［ｄＢｍ］以上の場合には、光度を１００％とし、受信電界強度が−３０［ｄＢｍ］より小さく−５０［ｄＢｍ］以上の場合には、光度を７５％とするといったように、受信電界強度に応じて光源２４の光度が定められている。
【００３６】
図４に示した例では、受信電界強度に応じて光源２４の光度を変更する例を示したが、これに限らず、例えば、受信電界強度が強いほど短い周期で光源２４を点滅させ、受信電界強度が弱いほど、長い周期で光源を点滅させるなど、受信電界強度に応じて点滅の周波数を変更してもよい。すなわち、光源２４の明るさが受信電界強度に応じて変更されてもよいし、光源２４の点滅の周波数が受信電界強度に応じて変更されてもよい。また、受信電界強度に応じて光源２４が発する光の色温度を変化させてもよい。
【００３７】
なお、発光態様は、照明装置２が電界強度取得指令を受信したことにより発光している場合と電界強度取得指令とは関係なく発光している場合とが区別ができることが望ましい。たとえば、あらかじめ全ての照明装置２が光度１００％で点灯している状態で、受信電界強度測定を行った場合、測定後に光度１００％で点灯している照明は、受信電界強度が強い可能性もあるし、照明制御装置１から電界強度取得指令を受信していない可能性がある。
【００３８】
照明装置２が電界強度取得指令を受信したことにより発光している場合と電界強度取得指令とは関係なく発光している場合とを区別できるようにするために、リモコン３から電界強度取得要求が送信される場合には、リモコン３からの指示または照明制御装置１からの指示などにより、あらかじめ照明装置２の光源２４の明るさを特定の値にしておくことが考えられる。例えば、照明制御装置１は電界強度取得指令を送信する前に照明装置２へ光度を０％とするすなわち消灯することを指示する制御信号を送信しておく。または、受信電界強度に応じた発光態様を、通常動作では現れない発光態様としておいてもよい。すなわち、電界強度取得指令に応じた発光態様は、電界強度取得指令に応じた発光以外の場合の発光における発光態様と異なる。通常動作では現れない発光態様の一例は、例えば点滅である。または、照明装置２が、受信電界強度取得指令を受信すると、一度消灯してから、一度消灯し、その後に電界強度測定を行うようにしてもよい。
【００３９】
以上述べた例では、測定する無線チャネル、測定時間はリモコン３から送信するとしたが、これらの情報を照明制御装置１があらかじめ保持していてもよい。この場合、リモコン３は、電界強度取得要求を生成する際に、無線チャネルおよび測定時間を電界強度取得要求に含めない。照明制御装置１は、リモコン３から電界強度取得要求を受信するとあらかじめ定められた順序で、ステップＳ１の処理の対象とする無線チャネルを順次設定し、測定時間についてはあらかじめ定められた測定時間を電界強度取得指令に含める。また、照明制御装置１が無線チャネルおよび測定時間を照明装置２に通知せず、照明装置２があらかじめ定められた順序で、無線チャネルを設定し、あらかじめ定められた測定時間で電界強度測定を行ってもよい。
【００４０】
また、以上述べた例では、ユーザがリモコン３を操作することにより電界強度測定処理が開始されるが、パーソナルコンピュータ、タブレット、スマートフォンなどの端末が無線通信などでリモコン３、照明制御装置１、または照明装置２と接続され、端末から電界強度取得要求または電界強度取得指令が送信されるようにしてもよい。また、照明システムの電源起動時などに自動的に図２に示した処理が実施されてもよい。
【００４１】
次に、ステップＳ２、ステップＳ６における電界強度測定結果の反映方法について説明する。ここでは一例として、以下の条件を仮定する。まず、全ての照明装置２が消灯している状態から、電界強度測定を実施するとする。また、照明装置２における受信電界強度と発光態様との対応は図４に示したものを用いるとする。また、ステップＳ２、ステップＳ６において、照明制御装置１は、受信電界強度が−７０ｄＢｍ未満であれば、妨害波またはノイズがないと判定し、受信電界強度が−７０ｄＢｍ以上であれば、妨害波またはノイズがあると判定するとする。
【００４２】
図５は、上述した条件において、ステップＳ２で測定結果がＯＫと判定される場合の各照明装置２の光度を示す図である。各照明装置２の下部にかかれた２５％などの数値は、各照明装置２の光源２４の光度を示す。図５に示した状態では、照明装置２−１〜２−３はすべて光度２５％である。ユーザが各照明装置２を観察すると、照明装置２の明るさが点灯時の最大の明るさより暗くなっていることを視認できる。これにより、ユーザは、受信電界測定が行われた無線チャネルが使用可能であると認識することができる。
【００４３】
図６は、上述した条件において、ステップＳ２で測定結果がＯＫでないと判定される場合の各照明装置２の光度を示す図である。図６に示した状態では、照明装置２−２，２−３は光度２５％であり、照明装置２−１は光度１００％である。したがって、ユーザが各照明装置２を観察すると、照明装置２−１だけが他の照明装置２に比べ、明るくなっている。これにより、ユーザは、照明装置２−１が妨害波またはノイズの影響を受けていることがわかる。これにより、照明装置２−１の周辺の妨害波の発生源またはノイズ源を取り除くなどの対策を行うことができる。
【００４４】
以上の例では、ユーザが、目視により照明装置２の光の態様を確認する例を説明したが、これに限らず、明るさの変化を捉えられる方法であればよく、照度センサまたはカメラなどを用いてユーザが測定結果を確認してもよい。または、カメラなどにより撮影された画像を画像処理することにより各照明装置２の光度が算出されるようにしてもよい。
【００４５】
ここで、照明装置２が電界強度取得指令を受信できない場合もある。図７は、電界強度取得指令を受信できない照明装置２が存在する場合の照明装置２の光度を示す図である。図７に示すように、照明装置２−１，２−２は光度２５％であり、照明装置２−３は光度０％である。ユーザは、照明装置２−３が光度０％すなわち消灯の状態であることを視認でき、これにより、照明装置２−３が電界強度取得指令を受信できていないことを把握できる。このような場合、ユーザは、再度、リモコン３を操作して電界強度測定を実施させる。複数回電界強度測定が実施されても、照明装置２−３が消灯したままである場合、妨害波またはノイズにより受信できない、または、照明制御装置１と照明装置２−３との距離が離れている影響により電波が届かないといった可能性ある。このため、ユーザは、妨害波の発生源またはノイズ源の除去、照明制御装置１の位置変更または照明制御装置１の追加といった対策をとることができる。
【００４６】
このように、本実施の形態では、照明装置２が、受信電界強度の測定結果を光源２４の発光態様で表現することで各照明装置２における妨害波またはノイズの発生状況をユーザに提示することができ、ユーザは各照明装置２の電界強度測定結果を容易に認識できる。このため、妨害波の発生源またはノイズ源の除去といった対策が容易になる。
【００４７】
また、本実施の形態では、電界強度測定を行うタイミングは任意であるため、試験用の通信期間だけに限定されず、通常運用時についても電界強度測定を行うことができるため、照明システムの設置および検査のときだけでなく、通常運用時にも妨害波またはノイズが大きく通信が不安定な場所を検出することが可能である。
【００４８】
以上の実施の形態に示した構成は、本発明の内容の一例を示すものであり、別の公知の技術と組み合わせることも可能であるし、本発明の要旨を逸脱しない範囲で、構成の一部を省略、変更することも可能である。
【符号の説明】
【００４９】
１  照明制御装置、２−１〜２−３  照明装置、３  リモコン、１１，２２，３１  通信部、１２，２３，３２  制御部、２１  電界強度測定部、２４  光源、３３  ユーザインタフェース部。
【図１】
2018190629.tif 000003
【図２】
2018190629.tif 000004
【図３】
2018190629.tif 000005
【図４】
2018190629.tif 000006
【図５】
2018190629.tif 000007
【図６】
2018190629.tif 000008
【図７】
2018190629.tif 000009